(57)【要約】【課題】今、老々介護のとき、介助者が歩行困難者をベッドからトイレに車椅子で行くために、介助者の労作業の負担を軽減させるための機器を提供する。【解決手段】対向する湾曲面を有する一対の板体による座面を回動軸受柱と回動軸にて開閉可能に設け、該座面上方に、同じく回動軸受柱と回動軸にて開閉可能なる一対の板体による肘掛を設け、座面と肘掛とを連結支柱にて接続し、座面上面適所に、吊下のためのフックの環を設けることにて、肘掛と座面とが吊下可能であるとともに同期して開閉可能に設けたことを特徴とする。【選択図】図１
2015205149.tif 000002
【特許請求の範囲】
【請求項１】
第１の大腿部支持平鋼板１Ａに  プラスチックコーティングしている部材と第２の大腿部支持平鋼板１Ｂに  プラスチックコーティングしている部材と前記第１の大腿部支持部材１Ａと前記第２の大腿部支持部材１Ｂとを回動自在に連結する第１の連結部２Ｂと左側体幹部及び左側肘部を保持するプラスチック加工板部材５Ａと右側体幹部及び右側肘部を保持するプラスチック加工板部材５Ｂと左側体幹部及び左側肘部前記プラスチック加工板部材を保持する部材５Ａと右側体幹部及び右側肘部前記プラスチック加工板部材を保持する部材５Ｂとを回動自在に連結する第２の連結部２Ａと左側体幹部及び左側肘部を保持する部材５Ａと右側体幹部及び右側肘部を保持する部材５Ｂとを前記第１の大腿部支持部材１Ａと及び前記第２の大腿部支持部材１Ｂの上方で保持させる保持部材１１とを有することを特徴とする介護機器。
【発明の詳細な説明】
【技術分野】
【０００１】本発明は歩行困難者をベットからトイレに便座型椅子を設けて介助者の労力の負担を軽減させるための機器を提供する。
【背景技術】
【０００２】従来は便座型椅子が無かった。
【特許文献】特開平０９−０１９４６４
【発明の概要】
【発明が解決しようとする課題】
【０００３】従来は、介助者が歩行困難者を、ベットから抱き抱えて車椅子に移乗させてトイレに移行して車椅子から歩行困難者を抱き抱えて便座に座らせて抱き抱えて下着を脱がせ用便して済んだら衛生処理後抱き抱えて下着を装着後抱き抱えて車椅子に座らせベットに移行して車椅子から抱き抱えてベットに座らせる行為は、介助者の腰痛過労を招き此等の作業を軽減させる為の機器を提供する。
【課題を解決するための手段】
【０００４】第１の大腿部支持平鋼板１Ａにプラスチックコーティングしている部材と第２の大腿部支持平鋼板１Ｂにプラスチックコーティングしている部材と前記第１の大腿部支持部材１Ａと前記第２の大腿部支持部材１Ｂとを回動自在に連結する第１の連結部２Ｂと左側体幹部及び左側肘部を保持するプラスチック加工板部材５Ａと右側体幹部及び右側肘部を保持するプラスチック加工板部材５Ｂと左側体幹部及び左側肘部前記プラスチック加工板部材を保持する部材５Ａと右側体幹部及び右側肘部前記プラスチック加工板部材を保持する部材５Ｂとを回動自在に連結する第２の連結部２Ａと左側体幹部及び左側肘部を保持する部材５Ａと右側体幹部及び右側肘部を保持する部材５Ｂとを前記第１の大腿部支持部材１Ａと及び前記第２の大腿部支持部材１Ｂの上方で保持させる保持部材１１とを有することを特徴とする介護機器。
【本発明の実施の形態】
【０００５】歩行困難者が介助者に１度も抱き抱えられなくても車椅子でベットからトイレに行って用便を済ませる事の出来る構成。
（イ）符号１Ａと１Ｂの座面の大きさは通常のトイレの便座と同等の形状と大きさで敢えて云うと、便座より符号１Ａ１Ｂの座面の方が内径部分が１０ｍｍ程大きくなっているので、万が一に用便中に汚物の跳ね返りがあったとしても内径差がある事で座面側には衛生面的にはなにも問題はない。
（ロ）符号１Ａ１Ｂ  座面の部材は平鋼板（重量と強度）にプラスチックコーティング（                    防水と滑らかさ）を施してある。
符号５        肘掛の部材はプラスチック加工板を使用
符号３        肘掛と座面との連結支柱は強度を増すため、又風呂で使用する時錆                    防止にアルミ丸棒材を使用
符号１１      回動軸受柱は風呂で使用の時のアルミ丸棒材を錆防止で使用
符号４        アルミ板の加工金具を使用してフック環を図１の座面プラスチック                    コーティング以前に平鋼板に溶接する
符号８        Ｌ字型鋼枠内に便座型椅子が納まり滑り留を役している。
符号１３      平ベルトタスキ掛をリフトで吊り（下着の脱着に使用）
符号２２      ハンガー型状のリフト部材は４のフック環に２４のフックを掛け便                    座型椅子を吊り上げる
（ハ）歩行困難者をベット上に座らせ両足を前側に直すぐ伸ばした状態の座位に後方ベットの頭側にリフトに吊してある図２を前記１Ａ１Ｂの座面は平鋼板から成りプラスチックコーティングしていて重量があるので沈み易く滑らかで背後から臀部に近づけリフトを下げて図２符号１Ａ・１Ｂを手動で閉じることで大腿部や臀部を挟むこともなく歩行困難者を乗せた図１の便座型椅子になる。
（ニ）歩行困難者を乗せた図１便座型椅子をベットからリフトで吊り上げて図４下方開放の車椅子に載置し、４のフック環から２２リフト部材の２４フックを外し１３平ベルトタスキ掛を装着して背部に１６フック環を設けて１４のリフトのフックを掛けて吊り上げ臀部が３０ｍｍ〜５０ｍｍ位上げた所で下着を膝上迄下げてバスタオル等で下半身を覆い、介助者と歩行困難者とは対面姿勢なのでトイレに歩行困難者をバックの状態で介助者は図４の車椅子を押して行く。
（ホ）図４の車椅子はトイレの便器・便座を左輪と右輪で跨いだ状態で図４便座型椅子を乗せた車椅子は１Ａ・１Ｂの座面がトイレの便座と合致した位置でストップして（トイレには車輪留を設けて）バスタオル等を取り除いて用便を済ませ衛生処理後バスタオル等で下半身を覆いベットに移行し、先に装着している１３平ベルトタスキ掛を１６フック環にリフトの１４フックを掛けて吊り上げて３０ｍｍ〜５０ｍｍ位臀部が上がった所で下着を上げて、次リフトを下げて１４フックを外し４のフック環に２２リフト部材の２４のフックを掛けてリフト部材の２５フック掛金具に１４フックを掛けて図１便座型椅子を吊り上げてベットに歩行困難者をリフトを下げて座らせ図２座面を開き後部頭側にリフト共に移動させて歩行困難者を寝かせる。
【発明の効果】
【０００６】介助者は歩行困難者を一度も抱き抱えることもなく、腰痛や過労を防ぐことができる。
【図面の簡単な説明】
【０００７】
【図１】便座型椅子の斜視図
【図２】肘掛を除いて座面が開いてる平面図
【図３】（Ａ）肘掛を除いて座面が閉じている平面図  （Ｂ）座面が傾斜している断面図
【図４】肘掛を除いて便座型椅子を乗せた、下方開放の車椅子の斜視図
【図５】（Ａ）下着を脱がせる時タスキ掛を装着して背後にフック環を設けてリフトのフックを掛け吊り上げ臀部が３０ｍｍ〜５０ｍｍ浮いたところで下着を膝上迄下げる。（Ｂ）ハンガー形状のリフト部材
【図６】（Ａ）（Ｂ）便座型椅子の組立方の側面図  （Ａ）図１符号１１回動軸受柱の組立方の側面図  （Ｂ）図１の符号３肘掛と座面との連結支柱の組立方の側面図
【符号の説明】
【０００８】１Ａ  座面                      部材は平鋼板から成り  プラスチックコーティングし                                て重量と防水と滑らかさと強度とを兼ねている
１Ｂ  座面
２Ａ  回動軸                    ５Ａ・Ｂ肘掛が回動する軸
２Ｂ  回動軸                    １Ａ・Ｂ座面が回動する軸
３    肘掛と座面との連結支柱    アルミ丸棒材を使用
４    フックの環                アルミ板加工金具を使用
５    肘掛                      プラスチック加工板を使用
６    車輪
７    ハンドル
８    Ｌ字型鋼枠                便座型椅子のスベリ留
９    足掛
１０  自在車
１１  回動軸受柱                アルミ丸棒材を使用
１２  肘掛と座面の開閉留        マジックテープで留る
１３  平ベルトタスキ掛          下着を着脱する時リフトで吊り上げる
１４  フック                    ２２ハンガー形状のリフト部材を、又１３平ベルトタ                                スキ掛を吊るす
１５  吊り紐
１６  符号１３のフックの環      歩行困難者の背後の平ベルトタスキ掛の部位にフック                                環を設ける
１７  袋ナット                  袋ナットとスプリングワッシャーを六角ナットで挟み                                、１Ａ座面５Ａ肘掛の回動軸に遊びを持たせる
１８  六角ナット                六角ナットとスプリングワッシャーを袋ナットで挟み                                １Ａ座面５Ａ肘掛の回動軸に遊びを持たせる
１９  座金                      座面と肘掛の回動で摩耗しない様に微少の遊びを設け                                る
２０  スプリングワッシャー      座面と肘掛の回動で六角ナットがゆるまぬ様にするた                                め
２１  袋ナット                  座面と肘掛との連結支往をネジ留に使用
２２  ハンガー形状のリフト部材  ４のフック環に２４のフックを掛け２５のフック掛金                                具に１４のフックを掛け吊し上げる
２３  吊り紐                    ４のフック環に掛けるフックを設けている
２４  ４のフック環に掛けるフック
２５  フック掛金具              ２２ハンガー形状のリフト部材を吊り上げるため１４                                のフックを掛ける
【図１】
2015205149.tif 000003
【図２】
2015205149.tif 000004
【図３】
2015205149.tif 000005
【図４】
2015205149.tif 000006
【図５】
2015205149.tif 000007
【図６】
2015205149.tif 000008
【手続補正書】
【提出日】平成26年9月17日(2014.9.17)
【手続補正１】
【補正対象書類名】特許請求の範囲
【補正対象項目名】全文
【補正方法】変更
【補正の内容】
【特許請求の範囲】
【請求項１】
対向する湾曲面を有する一対の板体による座面を回動軸受柱と回動軸にて開閉可能に設け、該座面上方に、同じく回動軸受柱と回動軸にて開閉可能なる一対の湾曲板体による肘掛を設け、座面と肘掛とを連結支柱にて接続し、座面上面適所に、吊下のためのフックの環を設けることにて、肘掛と座面とが吊下可能であるとともに同期して開閉可能に設けたことを特徴とする在宅介護用便座型椅子。
【請求項２】
対向する湾曲面間距離の最大箇所が、双方座面間の略中心としてなる請求項１記載の在宅介護用便座型椅子。
【請求項３】
座面の湾曲面近傍を、一対の座面の対向配置により形成される空隙中心に向かって下降傾斜して設けてなる請求項１または２記載の在宅介護用便座型椅子。
【手続補正２】
【補正対象書類名】明細書
【補正対象項目名】０００４
【補正方法】変更
【補正の内容】
【０００４】  課題を解決するための手段として本発明は以下の構成とした。
すなわち、対向する湾曲面を有する一対の板体による座面を回動軸受柱と回動軸にて開閉可能に設け、該座面上方に、同じく回動軸受柱と回動軸にて開閉可能なる一対の板体による肘掛を設け、座面と肘掛とを連結支柱にて接続し、座面上面適所に、吊下のためのフックの環を設けることにて、肘掛と座面とが吊下可能であるとともに同期して開閉可能に設ける。
本発明は以下の構成よりなることを特徴とする在宅介護用便座型椅子である。
【手続補正３】
【補正対象書類名】明細書
【補正対象項目名】０００５
【補正方法】変更
【補正の内容】
【０００５】  本発明は、歩行困難者が介助者に一度も抱きかかえられなくても車椅子でベッドからトイレに行って用便を済ませることのできる構成で、以下その詳細について述べる。
図において、１Ａおよび１Ｂは座面で、同一形状板体である。この座面は長方形板体の一方の長辺を湾曲形状として、この湾曲箇所を向かい合わせて配置し、回動軸受柱１１に対し回動自在なる回動軸２Ｂにより開閉可能に位置している。また、この対向する湾曲部分間距離の最大箇所は、図１にて示されるように、座面の略中央となっている。
５Ａおよび５Ｂは肘掛けで、座面より細幅の湾曲板体であって、座面同様に回動軸受柱に対し回動自在なる回動軸２Ａにより開閉可能にて座面上方に位置している。
３は肘掛けと座面との連結支柱であって、その上縁は肘掛け下面にその下縁は座面上面に固定される。従って、座面と肘掛けは同期して開閉することとなる。４は本発明品を吊下させる場合のフックの環、１２は肘掛けと座面の開閉留であって、面ファスナーによるものである。なお、前記の回動軸受柱に対する座面および肘掛けの留めは、図６にて示すように座金とナットを用い、回動可能に設けられる。
本発明に用いる座面の横断面は、図３にて示すように湾曲面に向かって緩やかに下降傾斜を有している。そのために、着座者の体中心が対向する座面の中心に向かいやすくなっている。図４は既述の発明と併用して用いる車椅子の斜視図であって、前記の座面だけ載置された状態を示している。この車椅子は、Ｌ字形鋼枠８の一辺にハンドル７を設け、該鋼枠８下方に一対の車輪６を有して形成され、足掛け９と自在車１０を有している。また、図５には人体吊下手段が示されている。
（イ）符号１Ａと１Ｂの座面の大きさは通常のトイレの便座と同等の形状と大きさで、便座より符号１Ａと１Ｂの座面の方が内径部分が１０ｍｍほど大きくなっているので、万一に用便中に汚物の跳ね返りがあったとしても内径差があるために座面側には衛生的に問題はない。
（ロ）符号１Ａ１Ｂ  座面の部材は平鋼板にプラスチックコーティング（防水と滑らかさ      ）を施してある。
符号５  肘掛けの部材はプラスチック加工板
符号３  肘掛けと座面との連結支柱は強度を増すため、また風呂で使用するときの              錆防止のためにアルミ丸棒材を使用。
符号１１  回動軸受柱は風呂で使用時のためにアルミ丸棒材を使用
符号  ４  アルミ板の加工金具を使用してフック環を図１の座面プラスチックコー                ティング以前に平鋼板に溶接する。
符号８  Ｌ字形鋼枠内に便座型椅子が納まり滑り留めを有している。
符号１３  平ベルトたすき掛けをリフトで吊る。（下着の着脱に使用）
符号２２  ハンガー形状のリフト部材は４のフック環に２４のフックを掛け、便座                型椅子を吊り上げる。
（ハ）歩行困難者をベッド上に座らせ、両足を前側にまっすぐ伸ばした状態の座位に、後方ベッドの頭側にリフトに吊りしてある図２を前記１Ａ１Ｂの座面は平鋼板からなるプラスチックコーティングしていて重量があるので沈みやすく滑らかで背後から臀部に近づけ、リフトを下げて図２の符号１Ａ１Ｂを手動で閉じることで、大腿部や臀部を挟むこともなく歩行困難者を乗せた図１の便座型椅子になる。
（ニ）歩行困難者を乗せた図１便座型椅子をベッドからリフトで吊り上げて図４下方開放の車椅子に乗せ、４のフック環から２２リフト部材の２４フックを外し、１３平ベルトたすき掛けを装着して背部に１６フック環を設けて、１４のリフトのフックを掛けて吊り上げ、臀部が３０〜５０ｍｍくらい上げたところで、下着を膝上まで下げてバスタオル等で下半身を覆い、介助者と歩行困難者とは対面姿勢なので、トイレに歩行困難者をバックの状態で介助者は図４の車椅子を押して行く。
（ホ）図４の車椅子は、トイレの便器・便座を左輪と右輪とで跨いだ状態で図４便座型椅子を乗せた車椅子は１Ａ・１Ｂの座面がトイレの便座と合致した位置でストップし、（トイレには車輪留めを設けて）バスタオル等を取り除いて用便を済ませ、衛生  処理後バスタオル等で下半身を覆いベッドに移行し、先に装着している１３平ベルトたすき掛けを１６フック環にリフトの１４フックを掛けて吊り上げて３０〜５０ｍｍくらい臀部が上がったところで下着を上げて、次リフトを下げて１４フックを外し、４のフック環に２２リフト部材の２４のフックを掛けてリフト部材の２５フック掛け金具に１４フックを掛けて、図１便座型椅子を吊り上げてベッドに歩行困難者をリフト２を下げて座らせ、図２座面を開き、後部頭側にリフトともに移動させて歩行困難者を寝かせる。
【手続補正４】
【補正対象書類名】明細書
【補正対象項目名】０００６
【補正方法】変更
【補正の内容】
【０００６】  本発明は以下の効果を有する。
１．人体が接する着座箇所としての座面に、対向する湾曲面による空隙を有することにより、着座状態での用便をスムースに行うことができる。
２．座面上方に肘掛けを有しているので、この肘掛けに肘を載せて楽に用便する事ができる。
３．座面と肘掛けは同期して開閉するので、人体着座を容易に行うことができる。
４．座面に中心に向かう傾斜面を設けることにより、人体位置を座面中央に寄せることができる。
５．専用の車椅子を併用することにて、人体を便器位置に容易にセッティングする事ができる。